(57)【要約】【課題】  出力部（パネル部）側と、コントローラ部（ボックス部）からなる２体型のシステムにおいて、接続パネルに適合する高品質なデータ出力を実現する。【解決手段】  画像、音声データを出力する出力部（パネル部）側と、コントローラ部（ボックス部）からなる２体型のシステムにおいて、メモリに複数のメーカー、ディスプレイ種別、サイズ、解像度等に応じた出力部対応調整パラメータを格納し、コントローラ部（ボックス部）が出力部（パネル部）からの出力部情報に基づいて、接続出力部の態様を検出し、メモリに格納した出力部対応調整パラメータから対応パラメータを選択して調整デバイスにおいて調整処理を実行する。【選択図】  図２
2005025122.tif 000002
【特許請求の範囲】
【請求項１】
少なくとも画像データまたは音声データを出力する出力部に接続され、出力データの調整処理を実行する出力データ制御装置であり、
複数の異なる態様の出力部に対応する出力部対応調整パラメータを格納したメモリと、
前記出力部から、出力部情報を受信し、該受信出力部情報に基づいて、前記メモリから出力部対応調整パラメータを選択取得し、出力データの調整処理を実行する調整デバイスに出力する制御部と、
前記制御部から出力部対応調整パラメータを受領し、該受領パラメータに基づく調整処理を実行する調整デバイスと、
を有することを特徴とする出力データ制御装置。
【請求項２】
前記メモリは、ディスプレイのメーカー、ディスプレイ種類情報、およびディスプレイサイズ情報に対応する複数の異なる調整パラメータを格納した構成であり、
前記制御部は、前記出力部から受信する出力部情報に基づいて、受信情報に対応するディスプレイのメーカー、およびディスプレイ種類情報、ディスプレイサイズ情報に対応して設定された調整パラメータを選択取得し、調整デバイスに出力する処理を実行する構成であることを特徴とする請求項１に記載の出力データ制御装置。
【請求項３】
前記メモリは、ディスプレイの解像度情報に対応する複数の異なる調整パラメータを格納した構成であり、
前記制御部は、前記出力部から受信する出力部情報に基づいて、受信情報に対応する解像度に対応して設定された調整パラメータを選択取得し、調整デバイスに出力する処理を実行する構成であることを特徴とする請求項１に記載の出力データ制御装置。
【請求項４】
前記出力部対応調整パラメータは、画サイズ調整パラメータ、画質調整パラメータ、音質調整パラメータを含み、
前記制御部は、前記出力部から受信する出力部情報に基づいて、受信情報に対応する画サイズ調整パラメータ、画質調整パラメータ、音質調整パラメータを前記メモリから選択取得して調整デバイスに出力する処理を実行する構成であることを特徴とする請求項１に記載の出力データ制御装置。
【請求項５】
前記制御部は、
前記出力部側に存在する出力データ調整デバイスにおいて実行する調整処理に必要な調整パラメータを前記メモリから選択取得して出力部側に出力する処理を実行する構成であることを特徴とする請求項１に記載の出力データ制御装置。
【請求項６】
少なくとも画像データまたは音声データを含む出力データの調整処理を実行する出力データ制御方法であり、
少なくとも画像データまたは音声データを出力する出力手段を備えた出力部から出力手段の態様情報としての出力部情報を受信する出力部情報受信ステップと、
複数の異なる態様の出力部に対応する出力部対応調整パラメータを格納したメモリから、前記出力部情報に対応する調整パラメータを選択する調整パラメータ選択ステップと、
選択した出力部対応調整パラメータを出力データの調整処理を実行する調整デバイスに出力する調整パラメータ出力ステップと、
調整デバイスにおいて、前記調整パラメータに基づく調整処理を実行する調整ステップと、
を有することを特徴とする出力データ制御方法。
【請求項７】
前記出力部対応調整パラメータは、ディスプレイのメーカー、ディスプレイ種類情報、およびディスプレイサイズ情報に対応する調整パラメータを含み、
前記調整パラメータ選択ステップは、
前記出力部から受信する出力部情報に基づいて、受信情報に対応するディスプレイのメーカー、およびディスプレイ種類情報、ディスプレイサイズ情報に対応して設定された調整パラメータを選択することを特徴とする請求項６に記載の出力データ制御方法。
【請求項８】
前記出力部対応調整パラメータは、ディスプレイの解像度情報に対応する調整パラメータを含み、
前記調整パラメータ選択ステップは、
前記出力部から受信する出力部情報に基づいて、受信情報に対応する解像度に対応して設定された調整パラメータを選択することを特徴とする請求項６に記載の出力データ制御方法。
【請求項９】
前記出力部対応調整パラメータは、画サイズ調整パラメータ、画質調整パラメータ、音質調整パラメータを含み、
前記調整パラメータ選択ステップは、
前記出力部から受信する出力部情報に基づいて、受信情報に対応する画サイズ調整パラメータ、画質調整パラメータ、音質調整パラメータを前記メモリから取得することを特徴とする請求項６に記載の出力データ制御方法。
【請求項１０】
前記調整パラメータ出力ステップは、
前記出力部側に存在する出力データ調整デバイスにおいて実行する調整処理に必要な調整パラメータを出力部側に出力する処理を実行することを特徴とする請求項６に記載の出力データ制御方法。
【請求項１１】
少なくとも画像データまたは音声データを含む出力データの調整処理を実行するコンピュータ・プログラムであり、
少なくとも画像データまたは音声データを出力する出力手段を備えた出力部から出力手段の態様情報としての出力部情報を受信する出力部情報受信ステップと、
複数の異なる態様の出力部に対応する出力部対応調整パラメータを格納したメモリから、前記出力部情報に対応する調整パラメータを選択する調整パラメータ選択ステップと、
選択した出力部対応調整パラメータを出力データの調整処理を実行する調整デバイスに出力する調整パラメータ出力ステップと、
調整デバイスにおいて、前記調整パラメータに基づく調整処理を実行する調整ステップと、
を有することを特徴とするコンピュータ・プログラム。
【発明の詳細な説明】
【技術分野】
【０００１】
本発明は、コントローラ部と、ディスプレイやスピーカからなる出力部とが分離されて構成され、出力部に映像、音声データを出力する構成を持つ２体型システムに適用される出力データ制御装置、および出力データ制御方法、並びにコンピュータ・プログラムに関する。さらに詳細には、様々な態様の出力部に対応する最適な出力データの生成、出力を可能とした出力データ制御装置、および出力データ制御方法、並びにコンピュータ・プログラムに関する。
【背景技術】
【０００２】
近年、プラズマテレビや、液晶テレビ等のディスプレイ部を薄型化、小型化した表示部を持つ装置は、ディスプレイやスピーカを持つ出力部（パネル部）とコントローラ部（ボックス部）とを別構成としたものが多い。このような別構成とすることでより軽量なディスプレイが実現され、ディスプレイを例えば壁掛け型として設定することが可能となる。また、ディスプレイと離れた位置でコントローラを操作するユーザの操作の利便性も向上する。
【０００３】
このような、２体型のプラズマテレビや液晶テレビのような出力部（パネル部）とコントローラ部（ボックス部）の２つのブロック構成を持つ映像機器システムの一般的構成は、２つのブロック間を映像、音声データ、制御データの通信のために専用ケーブル（５〜１０ｍ）で接続し、それぞれのブロックに搭載しているマイコン間での通信を可能とした構成を持ち、画像および音声からなる出力データに関する主要な調整をコントローラ部（ボックス部）において実行し、出力部（パネル部）のディスプレイよびスピーカを介して出力する構成となっている。
【０００４】
しかし、例えば出力部を構成するディスプレイのサイズや解像度には様々なものがある。これらの様々なディスプレイに適応した出力データの制御を実行するために、コントローラ部（ボックス部）は、出力部（パネル部）の態様に合わせた制御構成とすることが必要となる。その結果、出力部（パネル部）とコントローラ部（ボックス部）とは１対１の関係で製造、管理されている。
【０００５】
このような現状において、出力部（パネル部）の仕様変更が発生したり、特定のディスプレイの売り上げが伸びたり、あるいは落ちたりすると、それに追随する形でコントローラ部（ボックス部）の新たな製造や、あるいは廃棄処理などを行うことが必要となり、在庫調整の困難性を招き、また結果として製品のコスト高を招いていた。
【０００６】
コントローラ部（ボックス部）は、様々なメーカーのディスプレイ、様々な種類のディスプレイ、例えばプラズマディスプレイ、液晶ディスプレイに適合した出力データの調整を実行することが求められ、例えばメーカーＡ社のプラズマディスプレイとＢ社のプラズマディスプレイでは、たとえ画面サイズが同じであっても異なる出力データの調整処理が求められる。
【０００７】
従って、メーカー毎、ディスプレイの種類、サイズ毎に異なる出力データ調整を実行するコントローラ部（ボックス部）を製造することが求められており、コスト高の原因となっている。
【０００８】
なお、出力部（パネル部）とコントローラ部（ボックス部）に分離された映像システムを開示した従来例としては、例えば特許文献１および特許文献２がある。
【０００９】
特許文献１は、画面サイズとして、１つの画像表示制御装置で標準とワイドの異なる縦横比の画面に対応したデータを生成して出力部がいずれの画面を持つ構成であっても対応可能としたシステムを開示している。
【００１０】
また、特許文献２は、ＣＲＴのインチサイズに適合した出力データの信号調整、例えば輝度信号レベルの調整を実行する構成を示しており、制御部に接続されたＣＲＴのインチサイズ情報に基づいて輝度信号のレベルを変更して出力するなどの処理により、出力部の構成に対応した出力データを生成する構成を開示している。
【００１１】
しかし、特許文献１に記載の技術は、画面サイズのみに基づく出力データの変更構成を示すものであり、メーカー毎、ディスプレイの種類、サイズ毎に異なる出力データ調整を実行する構成を開示するものではない。特許文献２も、ＣＲＴのインチサイズに適合した出力データの信号調整処理を実行する構成を開示するのみであり、メーカー毎、ディスプレイの種類、サイズ毎に異なる出力データ調整を実行する構成を開示するものではない。
【特許文献１】特開平１１−５５６０１号公報
【特許文献２】特開２００３−４６９００号公報
【発明の開示】
【発明が解決しようとする課題】
【００１２】
本発明は、上述の問題点に鑑みてなされたものであり、出力部（パネル部）とコントローラ部（ボックス部）に分離された２体型の映像システムにおいて、コントローラ部（ボックス部）を、様々なメーカー、ディスプレイ、サイズ、解像度等に対応した出力データの生成を可能とした出力データ制御装置、および出力データ制御方法、並びにコンピュータ・プログラムを提供することを目的とする。
【課題を解決するための手段】
【００１３】
本発明の第１の側面は、
少なくとも画像データまたは音声データを出力する出力部に接続され、出力データの調整処理を実行する出力データ制御装置であり、
複数の異なる態様の出力部に対応する出力部対応調整パラメータを格納したメモリと、
前記出力部から、出力部情報を受信し、該受信出力部情報に基づいて、前記メモリから出力部対応調整パラメータを選択取得し、出力データの調整処理を実行する調整デバイスに出力する制御部と、
前記制御部から出力部対応調整パラメータを受領し、該受領パラメータに基づく調整処理を実行する調整デバイスと、
を有することを特徴とする出力データ制御装置にある。
【００１４】
さらに、本発明の出力データ制御装置の一実施態様において、前記メモリは、ディスプレイのメーカー、ディスプレイ種類情報、およびディスプレイサイズ情報に対応する複数の異なる調整パラメータを格納した構成であり、前記制御部は、前記出力部から受信する出力部情報に基づいて、受信情報に対応するディスプレイのメーカー、およびディスプレイ種類情報、ディスプレイサイズ情報に対応して設定された調整パラメータを選択取得し、調整デバイスに出力する処理を実行する構成であることを特徴とする。
【００１５】
さらに、本発明の出力データ制御装置の一実施態様において、前記メモリは、ディスプレイの解像度情報に対応する複数の異なる調整パラメータを格納した構成であり、前記制御部は、前記出力部から受信する出力部情報に基づいて、受信情報に対応する解像度に対応して設定された調整パラメータを選択取得し、調整デバイスに出力する処理を実行する構成であることを特徴とする。
【００１６】
さらに、本発明の出力データ制御装置の一実施態様において、前記出力部対応調整パラメータは、画サイズ調整パラメータ、画質調整パラメータ、音質調整パラメータを含み、前記制御部は、前記出力部から受信する出力部情報に基づいて、受信情報に対応する画サイズ調整パラメータ、画質調整パラメータ、音質調整パラメータを前記メモリから選択取得して調整デバイスに出力する処理を実行する構成であることを特徴とする。
【００１７】
さらに、本発明の出力データ制御装置の一実施態様において、前記制御部は、前記出力部側に存在する出力データ調整デバイスにおいて実行する調整処理に必要な調整パラメータを前記メモリから選択取得して出力部側に出力する処理を実行する構成であることを特徴とする。
【００１８】
さらに、本発明の第２の側面は、
少なくとも画像データまたは音声データを含む出力データの調整処理を実行する出力データ制御方法であり、
少なくとも画像データまたは音声データを出力する出力手段を備えた出力部から出力手段の態様情報としての出力部情報を受信する出力部情報受信ステップと、
複数の異なる態様の出力部に対応する出力部対応調整パラメータを格納したメモリから、前記出力部情報に対応する調整パラメータを選択する調整パラメータ選択ステップと、
選択した出力部対応調整パラメータを出力データの調整処理を実行する調整デバイスに出力する調整パラメータ出力ステップと、
調整デバイスにおいて、前記調整パラメータに基づく調整処理を実行する調整ステップと、
を有することを特徴とする出力データ制御方法にある。
【００１９】
さらに、本発明の出力データ制御方法の一実施態様において、前記出力部対応調整パラメータは、ディスプレイのメーカー、ディスプレイ種類情報、およびディスプレイサイズ情報に対応する調整パラメータを含み、前記調整パラメータ選択ステップは、前記出力部から受信する出力部情報に基づいて、受信情報に対応するディスプレイのメーカー、およびディスプレイ種類情報、ディスプレイサイズ情報に対応して設定された調整パラメータを選択することを特徴とする。
【００２０】
さらに、本発明の出力データ制御方法の一実施態様において、前記出力部対応調整パラメータは、ディスプレイの解像度情報に対応する調整パラメータを含み、前記調整パラメータ選択ステップは、前記出力部から受信する出力部情報に基づいて、受信情報に対応する解像度に対応して設定された調整パラメータを選択することを特徴とする。
【００２１】
さらに、本発明の出力データ制御方法の一実施態様において、前記出力部対応調整パラメータは、画サイズ調整パラメータ、画質調整パラメータ、音質調整パラメータを含み、前記調整パラメータ選択ステップは、前記出力部から受信する出力部情報に基づいて、受信情報に対応する画サイズ調整パラメータ、画質調整パラメータ、音質調整パラメータを前記メモリから取得することを特徴とする。
【００２２】
さらに、本発明の出力データ制御方法の一実施態様において、前記調整パラメータ出力ステップは、前記出力部側に存在する出力データ調整デバイスにおいて実行する調整処理に必要な調整パラメータを出力部側に出力する処理を実行することを特徴とする。
【００２３】
さらに、本発明の第３の側面は、
少なくとも画像データまたは音声データを含む出力データの調整処理を実行するコンピュータ・プログラムであり、
少なくとも画像データまたは音声データを出力する出力手段を備えた出力部から出力手段の態様情報としての出力部情報を受信する出力部情報受信ステップと、
複数の異なる態様の出力部に対応する出力部対応調整パラメータを格納したメモリから、前記出力部情報に対応する調整パラメータを選択する調整パラメータ選択ステップと、
選択した出力部対応調整パラメータを出力データの調整処理を実行する調整デバイスに出力する調整パラメータ出力ステップと、
調整デバイスにおいて、前記調整パラメータに基づく調整処理を実行する調整ステップと、
を有することを特徴とするコンピュータ・プログラムにある。
【００２４】
なお、本発明のコンピュータ・プログラムは、例えば、様々なプログラム・コードを実行可能な汎用コンピュータ・システムに対して、コンピュータ可読な形式で提供する記憶媒体、通信媒体、例えば、ＣＤやＦＤ、ＭＯなどの記憶媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【００２５】
本発明のさらに他の目的、特徴や利点は、後述する本発明の実施例や添付する図面に基づく、より詳細な説明によって明らかになるであろう。なお、本明細書においてシステムとは、複数の装置の論理的集合構成であり、各構成の装置が同一筐体内にあるものには限らない。
【発明の効果】
【００２６】
本発明においては、画像データまたは音声データのいずれかを出力する出力部（パネル部）側と、出力部と別構成として構成されたコントローラ部（ボックス部）からなる２体型のシステムにおいて、メモリに複数のメーカー、ディスプレイ種別、サイズ、解像度などに応じた出力部対応調整パラメータを格納し、コントローラ部（ボックス部）が出力部（パネル部）から受信する出力部情報に基づいて、接続出力部の態様を検出し、メモリに格納した出力部対応調整パラメータから対応パラメータを選択して各調整デバイスにおいて調整処理を実行する構成としたので、画サイズ調整、画質調整、音質調整のいずれもが、出力部に接続されたパネル、すなわちディスプレイに適合した調整データとすることが可能となり、出力部に応じた最高品質のデータ出力が可能となる。
【発明を実施するための最良の形態】
【００２７】
以下、図面を参照しながら、本発明の出力データ制御装置、および出力データ制御方法、並びにコンピュータ・プログラムの詳細について説明する。
【００２８】
まず、図１を参照して本発明の出力データ制御装置の構成について説明する。図１には、本発明の出力データ制御装置としてのコントローラ部（ボックス部）１１０と、出力部（パネル部）１２０からなる２体型の映像出力システムを示している。出力部（パネル部）１２０は、画像出力のためのディスプレイ１２１と、音声出力のためのスピーカ１２２を備え、さらにユーザのリモコンなどの入力機器からのコマンドを受信する受信部１２３を備えている。ディスプレイ１２１は、例えばプラズマディスプレイや液晶ディスプレイによって構成される。
【００２９】
コントローラ部（ボックス部）１１０と、出力部（パネル部）１２０との間は、ケーブル１５０によって接続され、画像データ、音声データ、および制御データの転送が可能な構成となっている。
【００３０】
コントローラ部（ボックス部）１１０と、出力部（パネル部）１２０には、それぞれ、出力データ調整部２００，３００、すなわち出力データとしての画像に関する画質調整および音声の音質調整を実行する出力データ調整部２００，３００が備えられ、各出力データ調整部２００，３００には、ＣＰＵ等の制御部とメモリ等からなるデータ処理および通信処理制御部としてのマイコンが備えられている。
【００３１】
コントローラ部（ボックス部）１１０と出力部（パネル部）１２０のマイコンは一定周期で情報のやり取りを行っており、出力部（パネル部）１２０側のパネルマイコン３１０は、コントローラ部（ボックス部）１１０側のボックスマイコン２１０に対してパネル側の情報（出力部情報）を送信している。その情報の中に、パネル情報（プラズマパネル、液晶パネル…）、サイズ情報（３０ｉｎｃｈ，４２ｉｎｃｈ，５０ｉｎｃｈ…）、パネル製造メーカー情報（Ａ社、Ｂ社、Ｃ社…）、解像度情報などが格納される。
【００３２】
コントローラ部（ボックス部）１１０のボックスマイコン２１０は、出力部（パネル部）１２０から受信する出力部情報を検出して、例えばパネルのメーカー、種類、サイズ、解像度を特定し、そのパネルに適した画サイズ、画質、音質データの設定および切換を自動的に行う。
【００３３】
画サイズ、画質、音質に関するデータ、調整パラメータは、コントローラ部（ボックス部）１１０にある不揮発性メモリ（ＮＶＭ）２５０に格納されており、パネル種類毎に領域が分かれている。例えば５種類のパネル対応のコントローラ（ボックス）であれば、パネル毎に必要なデータは５つの領域に区分されて格納され、選択して取得することができる構成となっている。
【００３４】
画サイズ切換の具体例としては、例えば解像度が１３６５×７６８のＡ社製の５０インチプラズマパネルと解像度が１０２４×７６８のＢ社製の４２インチプラズマパネルがあったとして、それぞれのパネルがコントローラ部（ボックス部）１１０に接続された時に、ボックス部から出力する信号を、オーバースキャン量を加えて５０インチ時は１３８６×７８８、４２インチ時は１０４４×７８８と切換えて出力する。また、画面の画素数に合わせて、グラフィクスの位置の変更などを行う。
【００３５】
画質切換の具体例としては、パネル毎に表示面積が変わるので、シャープネス、エンハンスデータの切換やピクチャーオフセット，ブライトネスオフセットといった画作りオフセット系のデータの切換を行う。
【００３６】
音質切換の具体例としては、パネルのサイズにより、スピーカの位置が中心から大きく違ってくる為、サイズによって、バス、トレブルの効果を変えるといった処理を行うことになる。
【００３７】
本発明の出力データ制御装置としてのコントローラ部（ボックス部）１１０の出力データ調整部２００は、上述のような出力データ制御を実行するものであり、図１に示すように、ボックスマイコン２１０、画サイズ調整デバイス２２０、画質調整デバイス２３０、音質調整デバイス２４０、さらに不揮発性メモリ（ＮＶＭ）２５０を有する。また、出力部（パネル部）１２０の出力データ調整部は、パネルマイコン３１０、画質調整デバイス３２０、音質調整デバイス３３０、さらに不揮発性メモリ（ＮＶＭ）３４０を有する。
【００３８】
本発明の出力データ制御装置としてのコントローラ部（ボックス部）１１０の出力データ調整部２００の構成について図２を参照して説明する。ボックスマイコン２１０は、ＣＰＵ２１１、メモリ２１２、通信インタフェース２１３を有し、画サイズ調整デバイス２２０、画質調整デバイス２３０、音質調整デバイス２４０とのインタフェース２１４、不揮発性メモリ（ＮＶＭ）２５０とのインタフェース２１５を有する。
【００３９】
通信インタフェース２１３は、出力部（パネル部）と接続されるケーブル１５０を介した画像データ、音声データ、制御データのデータ転送に適用されるインタフェースである。
【００４０】
ボックスマイコン２１０、画サイズ調整デバイス２２０、画質調整デバイス２３０、音質調整デバイス２４０、不揮発性メモリ（ＮＶＭ）２５０各々は、相互にアドレスバス２６１，２７１とデータバス２６２，２７２によってバス接続され、データ転送が可能な構成である。これらのバスは例えばＩ２Ｃバスなどによって構成される。
【００４１】
画サイズ調整デバイス２２０は、出力部（パネル部）１２０に接続されたディスプレイのサイズに適応したデータを生成する。
【００４２】
メモリ２５０には、出力部の態様（メーカー、種類、サイズ、解像度）に応じたパラメータが格納され、コントローラ部（ボックス部）１１０のボックスマイコン２１０は、出力部（パネル部）１２０から受信する出力部情報に基づいて、パネルのメーカー、種類、サイズ、解像度を特定し、そのパネルに対応する画サイズ調整パラメータをメモリ２５０から選択取得して画サイズ調整デバイス２２０に出力する。画サイズ調整デバイス２２０は入力パラメータに基づいて調整処理を実行する。
【００４３】
例えば、解像度が１３６５×７６８のＡ社製の５０インチプラズマパネルが接続されたとの情報をボックスマイコン２１０が出力部（パネル部）１２０から受信した場合は、ボックスマイコン２１０が、メモリ（ＮＶＭ）２５０から、Ａ社製の５０インチプラズマパネルに対応して設定された画サイズ調整パラメータを取得し、取得したパラメータを画サイズ調整デバイス２２０に出力し、画サイズ調整デバイス２２０が、入力パラメータに基づいてＡ社製の５０インチプラズマパネルに対応した調整データを生成する。すなわち、出力信号を、オーバースキャン量を加えて１３８６×７８８の画素数対応データを生成する。また、画面の画素数に合わせて、グラフィクスの位置の変更などを行う。
【００４４】
また、解像度が１０２４×７６８のＢ社製の４２インチプラズマパネルが接続されたとの情報をボックスマイコン２１０が出力部（パネル部）１２０から受信した場合は、ボックスマイコン２１０が、メモリ（ＮＶＭ）２５０から、Ｂ社製の４２インチプラズマパネルに対応して設定された画サイズ調整パラメータを取得し、取得したパラメータを画サイズ調整デバイス２２０に出力し、画サイズ調整デバイス２２０が、入力パラメータに基づいてＢ社製の４２インチプラズマパネルに対応した調整データを生成する。すなわち、出力信号を、１０４４×７８８の画素数対応データを生成する。
【００４５】
画質調整デバイス２３０は、例えば輝度(ブライト)、シャープネス、カラー調整など、様々な画質調整処理を実行する専用のデバイスであり、ボックスマイコン２１０からの処理要求に応じて、画質調整処理を実行する。この調整処理に適用するパラメータも、メモリ（ＮＶＭ）２５０に画質調整パラメータ２４１として格納されている。
【００４６】
メモリ２５０には、出力部の態様（メーカー、種類、サイズ、解像度）に応じた画質調整用パラメータが格納され、コントローラ部（ボックス部）１１０のボックスマイコン２１０は、出力部（パネル部）１２０から受信する出力部情報の変化を検出して、パネルのメーカー、種類、サイズ、解像度を特定し、そのパネルに対応する画質調整パラメータをメモリ２５０から選択取得して画質調整デバイス２３０に出力する。画質調整デバイス２３０は入力パラメータに基づいて調整処理を実行する。
【００４７】
音質調整デバイス２４０は、例えばトーン、広がり（ステレオ）など、様々な音質調整処理を実行する専用のデバイスであり、ボックスマイコン２１０からの処理要求に応じて、音質調整処理を実行する。この調整処理に適用するパラメータもメモリ（ＮＶＭ）２５０に音質調整用パラメータ２４２として、出力部の態様（メーカー、種類、サイズ、解像度）に応じたパラメータが格納され、ボックスマイコン２１０が出力部（パネル部）１２０からの入力する出力部情報に基づいて出力部（パネル部）に応じたパラメータをメモリ（ＮＶＭ）２５０から取得し、音質調整デバイス２４０に出力し、音質調整デバイス２４０が入力パラメータに基づいて調整処理を実行する。
【００４８】
メモリ（ＮＶＭ）２５０は不揮発性メモリであり、上述したように、画質調整デバイス２３０、および音質調整デバイス２４０において実行する調整処理に適用するパラメータとしての画サイズ調整パラメータ、画質調整パラメータ、音質調整用パラメータを出力部対応調整パラメータ２５１として格納している。すなわち、メーカー、種類、サイズ、解像度等の出力部の態様毎の対応データとして格納している。
【００４９】
なお、出力部（パネル部）１２０側の出力データ調整部３００の構成も、図１に示すように、コントローラ部（ボックス部）側の出力データ調整部２００の構成と同様、パネルマイコン３１０、画質調整デバイス３２０、音質調整デバイス３３０、さらに不揮発性メモリ（ＮＶＭ）３４０を有し、これらが相互にバス接続された構成を有し、コントローラ部（ボックス部）１１０の調整に対応した補助的な調整処理が可能な構成となっている。
【００５０】
図２に示すように、コントローラ部（ボックス部）１１０の出力データ調整部２００のメモリ（ＮＶＭ）２５０には、出力部対応調整パラメータ２５１として、出力部の態様（メーカー、種類、サイズ、解像度）に応じたパラメータ（画サイズ調整パラメータ、画質調整パラメータ、音質調整用パラメータ）を格納している。
【００５１】
図３にコントローラ部（ボックス部）１１０のメモリ（ＮＶＭ）２５０に格納される出力部対応調整パラメータ２５１のデータ構成例を示す。
【００５２】
図３に示すように、出力部の態様として、メーカー、ディスプレイ種類、サイズ、解像度がデータエントリとして設定され、各エントリに対して、画サイズ調整パラメータ、画質調整パラメータ、音質調整パラメータの各値が格納された構成を持つ。
【００５３】
例えば、解像度が１６８０×９６０のＡ社製の６１インチプラズマパネルが接続されたとの情報をボックスマイコン２１０が出力部（パネル部）１２０から受信した場合は、図３に示す対応エントリ、すなわち、Ａ社製プラズマディスプレイ、６１インチ、解像度：１６８０×９６０の図３に示す第１エントリ４０１に設定された画サイズ調整パラメータ、画質調整パラメータ、音質調整パラメータの各値を、ボックスマイコン２１０が抽出し、それぞれの調整デバイスに出力し、各調整デバイスにおいて、これらの入力パラメータに基づく調整処理を実行する。
【００５４】
なお、メモリ（ＮＶＭ）２５０に格納される出力部対応調整パラメータは、画サイズ調整パラメータとしては解像度に応じた画素数のデータを生成するためのパラメータが格納され、画質調整パラメータとしては、例えば「ピクチャー」、「ブライト」、「シャープネス」、「カラー」、「ヒュー」、「色補正」、「ＮＲ」、「オートペデスタル」、「直流伝送率」、「ガンマ」、「色温度」等の各調整パラメータが格納される。また、音質調整パラメータとしては、トーン調整、ステレオ効果等の調整パラメータであり、音質調整デバイスでは、これらのパラメータを適用して、パネルサイズに適合した調整、すなわち、スピーカの位置の中心からのずれに応じたバス、トレブルの効果変更などの調整を行うことになる。
【００５５】
コントローラ部（ボックス部）１１０のメモリ（ＮＶＭ）２５０に格納される出力部対応調整パラメータ２５１を適用した出力データの調整処理について、図２を参照して説明する。
【００５６】
コントローラ部（ボックス部）１１０のボックスマイコン２１０は、出力部（パネル部）１２０のパネルマイコン３１０から、一定周期で出力部情報を受信する。その情報の中に、パネル情報（プラズマパネル、液晶パネル…）、サイズ情報（３０ｉｎｃｈ，４２ｉｎｃｈ，５０ｉｎｃｈ…）、パネル製造メーカー情報（Ａ社、Ｂ社、Ｃ社…）、解像度情報などが格納される。
【００５７】
ボックスマイコン２１０は、パネルマイコン３１０からの出力部情報を受信すると、メモリ２５０に格納した出力部対応調整パラメータ２５１から、パネルマイコン３１０から受信した出力部情報に対応するエントリに格納された調整パラメータを取得する。
【００５８】
例えば、ボックスマイコン２１０が、パネルマイコン３１０からの出力部情報として、解像度が１３６５×７６８のＡ社製の５０インチプラズマパネルが接続されたとの情報を受信した場合は、図３に示す第１エントリ４０１を選択し、第１エントリ４０１に格納された調整パラメータを取得する。
【００５９】
ボックスマイコン２１０は、第１エントリに対応して設定された画サイズ調整パラメータ、画質調整パラメータ、音質調整パラメータをそれぞれの調整デバイス、すなわち、図２に示す画サイズ調整デバイス２２０、画質調整デバイス２３０、音質調整デバイス２４０のそれぞれに出力する。
【００６０】
画サイズ調整デバイス２２０、画質調整デバイス２３０、音質調整デバイス２４０は、ボックスマイコン２１０から渡されたパラメータを用いて、それぞれ画サイズ調整、画質調整、音質調整を実行する。
【００６１】
なお、図１に示すように出力部（パネル部）１２０側にも画質調整デバイス３２０、音質調整デバイス３３０を備えた構成である場合には、コントローラ部（ボックス部）１１０のボックスマイコン２１０は、メモリ２５０から取得した出力部対応調整パラメータから、出力部（パネル部）１２０側の画質調整デバイス３２０、音質調整デバイス３３０において実行する調整項目に応じた調整パラメータを選択して、ケーブル１５０を介して、出力部（パネル部）１２０側に送信する。
【００６２】
出力部（パネル部）１２０側のパネルマイコン３１０は、コントローラ部（ボックス部）１１０のボックスマイコン２１０から受信したこれらのパラメータを出力部（パネル部）１２０側の画質調整デバイス３２０、音質調整デバイス３３０に出力し、これらの調整デバイスにおいて、受領パラメータに基づく調整処理が実行される。
【００６３】
このように、コントローラ部（ボックス部）１１０のボックスマイコン２１０は、どの調整パラメータを適用した調整処理を実行するかを、パネルマイコン３１０からの出力部情報に基づいて決定し、決定情報に基づいてメモリ２５０に格納した出力部対応調整パラメータ２５１を取得して各調整デバイスに出力する。
【００６４】
従って、画サイズ調整、画質調整、音質調整のいずれもが、出力部に接続されたパネル、すなわちディスプレイに適合した調整データとすることが可能となり、出力部に応じた最高品質のデータ出力が可能となる。
【００６５】
また、メモリ２５０に格納した出力部対応調整パラメータ２５１は、複数の異なるパネルに対応したデータ（調整パラメータ）が格納されているので、コントローラ部（ボックス部）に接続される出力部（パネル部）が変更された場合であっても、その変更情報を出力部（パネル部）のパネルマイコンから受領し、その出力部情報に対応する調整パラメータを新たにメモリ２５０の出力部対応調整パラメータ２５１から選択取得して新たな調整処理を実行することが可能となり、複数の異なる出力部（パネル）に対応した最適な調整データの出力が可能となる。
【００６６】
図４を参照して、本発明の出力データ制御装置としてのコントローラ部（ボックス部）において実行する処理手順について説明する。
【００６７】
まず、ステップＳ１１１において、コントローラ部（ボックス部）は、出力部（パネル部）から、出力部情報を受信する。出力部情報は、前述したように、パネル種類情報（プラズマパネル、液晶パネル…）、サイズ情報（３０ｉｎｃｈ，４２ｉｎｃｈ，５０ｉｎｃｈ…）、パネル製造メーカー情報（Ａ社、Ｂ社、Ｃ社…）、解像度情報などを含む情報である。
【００６８】
ステップＳ１１２において、コントローラ部（ボックス部）のボックスマイコンは出力部（パネル部）からの出力部情報に基づいて、メモリの出力部対応調整パラメータから受信情報に対応して設定された調整パラメータを取得する。パラメータには、画サイズ調整パラメータ、画質調整パラメータ、音質調整パラメータを含む。
【００６９】
ステップＳ１１３において、コントローラ部（ボックス部）のボックスマイコンは、これらのパラメータをそれぞれの調整デバイス、すなわち、画サイズ調整デバイス、画質調整デバイス、音質調整デバイスに出力する。なお、前述したように、に出力部（パネル部）側にも画質調整デバイスや、音質調整デバイスが備えられている場合は、出力部（パネル部）側にも必要なパラメータを接続ケーブルを介して送信する。
【００７０】
ステップＳ１１４において、画サイズ調整デバイス、画質調整デバイス、音質調整デバイスのそれぞれにおいて、コントローラ部（ボックス部）のボックスマイコンがメモリから取得した出力部対応調整パラメータに基づく調整処理を実行し、出力データの調整処理を実行する。
【００７１】
具体的には、画サイズ調整デバイスにおいては、解像度に応じた画素数のデータ生成、グラフィクスの位置の変更などが実行され、画質調整デバイスでは、「ピクチャー」、「ブライト」、「シャープネス」、「カラー」、「ヒュー」、「色補正」、「ＮＲ」、「オートペデスタル」、「直流伝送率」、「ガンマ」、「色温度」等の各調整処理が実行され、また、音質調整デバイスでは、トーン調整、ステレオ効果等の調整が実行される。
【００７２】
このように、本発明の構成によれば、メモリに複数のメーカー、ディスプレイ種別、サイズ、解像度に応じた出力部対応調整パラメータを格納し、コントローラ部（ボックス部）のボックスマイコンがパネルマイコンからの出力部情報に基づいて、接続された出力部の態様を検出し、この検出情報に従って、メモリに格納した出力部対応調整パラメータから対応するパラメータを取得して、各調整デバイスに出力して、各調整デバイスにおいて調整処理を実行する構成としたので、画サイズ調整、画質調整、音質調整のいずれもが、出力部に接続されたパネル、すなわちディスプレイに適合した調整データとすることが可能となり、出力部に応じた最高品質のデータ出力が可能となる。
【００７３】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、冒頭に記載した特許請求の範囲の欄を参酌すべきである。
【００７４】
なお、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【００７５】
例えば、プログラムは記録媒体としてのハードディスクやＲＯＭ（Read Only Memory)に予め記録しておくことができる。あるいは、プログラムはフレキシブルディスク、ＣＤ−ＲＯＭ(CompactDisc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【００７６】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するハードディスク等の記録媒体にインストールすることができる。
【００７７】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【００７８】
以上、説明したように、本発明においては、画像データまたは音声データのいずれかを出力する出力部（パネル部）側と、出力部と別構成として構成されたコントローラ部（ボックス部）からなる２体型のシステムにおいて、メモリに複数のメーカー、ディスプレイ種別、サイズ、解像度等に応じた出力部対応調整パラメータを格納し、コントローラ部（ボックス部）が出力部（パネル部）から受信する出力部情報に基づいて、接続出力部の態様を検出し、メモリに格納した出力部対応調整パラメータから対応パラメータを選択して各調整デバイスにおいて調整処理を実行する構成としたので、画サイズ調整、画質調整、音質調整のいずれもが、出力部に接続されたパネル、すなわちディスプレイに適合した調整データとすることが可能であり、出力部に応じた最高品質のデータ出力が可能となり、映像信号、音声信号の処理を実行する装置、あるいは映像信号処理に基づく出力を実行するディスプレイ、スピーカ等を備えた装置において適用できる。
【図面の簡単な説明】
【００７９】
【図１】出力部（パネル部）とコントローラ部（ボックス部）とからなる２体型システム、および出力データ調整部の構成について説明する図である。
【図２】出力部（パネル部）とコントローラ部（ボックス部）とからなる２体型システムにおける出力データ調整部の詳細構成について説明する図である。
【図３】出力部対応調整パラメータの具体例を示す図である。
【図４】本発明の出力データ制御装置における処理シーケンスを説明するフロー図である。
【符号の説明】
【００８０】
１１０  コントローラ部（ボックス部）
１２０  出力部（パネル部）
１２１  ディスプレイ
１２２  スピーカ
１２３  受信部
１５０  ケーブル
２００  出力データ調整部
２１０  ボックスマイコン
２１１  ＣＰＵ
２１２  メモリ
２１３  通信Ｉ／Ｆ
２１４，２１５  Ｉ／Ｆ
２２０  画サイズ調整デバイス
２３０  画質調整デバイス
２４０  音質調整デバイス
２５０  メモリ
２５１  出力部対応調整パラメータ
３００  出力データ調整部
３１０  パネルマイコン
３２０  画質調整デバイス
３３０  音質調整デバイス
３４０  メモリ
【図１】
2005025122.tif 000003
【図２】
2005025122.tif 000004
【図３】
2005025122.tif 000005
【図４】
2005025122.tif 000006